(57)【要約】【課題】  電子機器に対する設定作業を容易化することができる機器設定装置および機器設定プログラムを提供する。【解決手段】  機器設定装置は、ＭＦＰの複数の設定項目のそれぞれの設定値が示されるＣＳＶ（Ｃｏｍｍａ-Ｓｅｐａｒａｔｅｄ  Ｖａｌｕｅｓ）形式の設定データを受け付け（Ｓ１３１）、Ｓ１３１において受け付けられた設定データに基づいてＭＦＰに対して複数の設定項目のそれぞれの設定値を設定する（Ｓ１３５）ことを特徴とする。【選択図】  図７
2018200604.tif 000002
【特許請求の範囲】
【請求項１】
電子機器の複数の設定項目のそれぞれの設定値が示される設定データを受け付ける設定データ受付手段と、
前記設定データ受付手段によって受け付けられた前記設定データに基づいて前記電子機器に対して前記複数の設定項目のそれぞれの前記設定値を設定する機器設定手段と
を備えることを特徴とする機器設定装置。
【請求項２】
前記設定データ受付手段は、設定の対象の前記電子機器の候補をネットワーク上から検知し、検知した前記候補を通知することによって、前記候補のうち設定の対象の指定を受け付け、
前記機器設定手段は、前記設定データ受付手段によって受け付けられた指定に対応する前記電子機器に対して前記複数の設定項目のそれぞれの前記設定値を設定することを特徴とする請求項１に記載の機器設定装置。
【請求項３】
電子機器の複数の設定項目のそれぞれの設定値が示される設定データを受け付ける設定データ受付手段と、
前記設定データ受付手段によって受け付けられた前記設定データに基づいて前記電子機器に対して前記複数の設定項目のそれぞれの前記設定値を設定する機器設定手段と
をコンピューターに実現させることを特徴とする機器設定プログラム。
【発明の詳細な説明】
【技術分野】
【０００１】
本発明は、電子機器に対する設定を実行する機器設定装置および機器設定プログラムに関する。
【背景技術】
【０００２】
従来、オプション機能を起動する画像形成装置を候補一覧から利用者に選択させ、選択された画像形成装置で起動するオプション機能を候補一覧から利用者に選択させ、選択された画像形成装置において、選択されたオプション機能を起動させるためのライセンスキーを利用者に入力させ、入力されたライセンスキーを用いて、選択された画像形成装置において、選択されたオプション機能を起動させる機器設定装置が知られている（例えば、特許文献１参照。）。この機器設定装置においては、同一のオプション機能であれば、ＣＳＶ（Ｃｏｍｍａ-Ｓｅｐａｒａｔｅｄ  Ｖａｌｕｅｓ）ファイル形式で複数の画像形成装置のそれぞれに対して入力されたライセンスキーを用いて、選択された画像形成装置においてオプション機能を起動させることができる。
【先行技術文献】
【特許文献】
【０００３】
【特許文献１】特開２０１７−０１０３０３号公報
【発明の概要】
【発明が解決しようとする課題】
【０００４】
しかしながら、従来の機器設定装置においては、画像形成装置の多数のオプション機能のそれぞれのライセンスキーが入力される場合、すなわち、画像形成装置の多数の設定項目のそれぞれの設定値が設定される場合、オプション機能が利用者によって１つずつ選択操作される必要があるので、設定作業者にかかる負担が少なくないという問題がある。
【０００５】
そこで、本発明は、電子機器に対する設定作業を容易化することができる機器設定装置および機器設定プログラムを提供することを目的とする。
【課題を解決するための手段】
【０００６】
本発明の機器設定装置は、電子機器の複数の設定項目のそれぞれの設定値が示される設定データを受け付ける設定データ受付手段と、前記設定データ受付手段によって受け付けられた前記設定データに基づいて前記電子機器に対して前記複数の設定項目のそれぞれの前記設定値を設定する機器設定手段とを備えることを特徴とする。
【０００７】
この構成により、本発明の機器設定装置は、電子機器の複数の設定項目のそれぞれに対する設定値の設定を設定データに基づいて実行するので、電子機器に対する設定作業を容易化することができる。
【０００８】
本発明の機器設定装置において、前記設定データ受付手段は、設定の対象の前記電子機器の候補をネットワーク上から検知し、検知した前記候補を通知することによって、前記候補のうち設定の対象の指定を受け付け、前記機器設定手段は、前記設定データ受付手段によって受け付けられた指定に対応する前記電子機器に対して前記複数の設定項目のそれぞれの前記設定値を設定しても良い。
【０００９】
この構成により、本発明の機器設定装置は、設定の対象の電子機器の候補をネットワーク上から検知し、検知した候補を通知することによって、候補のうち設定の対象の指定を受け付けるので、設定の対象の電子機器を指定するための作業効率を向上することができる。したがって、本発明の機器設定装置は、電子機器に対する設定作業を更に容易化することができる。
【００１０】
本発明の機器設定プログラムは、電子機器の複数の設定項目のそれぞれの設定値が示される設定データを受け付ける設定データ受付手段と、前記設定データ受付手段によって受け付けられた前記設定データに基づいて前記電子機器に対して前記複数の設定項目のそれぞれの前記設定値を設定する機器設定手段とをコンピューターに実現させることを特徴とする。
【００１１】
この構成により、本発明の機器設定プログラムを実行するコンピューターは、電子機器の複数の設定項目のそれぞれに対する設定値の設定を設定データに基づいて実行するので、電子機器に対する設定作業を容易化することができる。
【発明の効果】
【００１２】
本発明の機器設定装置および機器設定プログラムは、電子機器に対する設定作業を容易化することができる。
【図面の簡単な説明】
【００１３】
【図１】本発明の一実施の形態に係るシステムのブロック図である。
【図２】図１に示す機器設定装置のブロック図である。
【図３】図２に示す設定データの一例を示す図である。
【図４】図１に示す利用者端末のブロック図である。
【図５】データ入力画面を利用者端末に表示する場合の図１に示すシステムの動作のシーケンス図である。
【図６】図５に示す動作において表示されるデータ入力画面の一例を示す図である。
【図７】ＭＦＰに対する設定を実行する場合の図２に示す機器設定装置の動作のフローチャートである。
【発明を実施するための形態】
【００１４】
以下、本発明の一実施の形態について、図面を用いて説明する。
【００１５】
まず、本実施の形態に係るシステムの構成について説明する。
【００１６】
図１は、本実施の形態に係るシステム１０のブロック図である。
【００１７】
図１に示すように、システム１０は、電子機器としてのＭＦＰ（Ｍｕｌｔｉｆｕｎｃｔｉｏｎ  Ｐｅｒｉｐｈｅｒａｌ）２０と、ＭＦＰに対する設定を実行する機器設定装置３０と、利用者端末４０とを備えている。
【００１８】
ＭＦＰ２０と、機器設定装置３０とは、ＬＡＮ（Ｌｏｃａｌ  Ａｒｅａ  Ｎｅｔｗｏｒｋ）などのネットワーク経由で通信可能である。機器設定装置３０と、利用者端末４０とは、ＬＡＮ、インターネットなどのネットワーク経由で通信可能である。
【００１９】
システム１０は、ＭＦＰ２０と同様の構成のＭＦＰを、ＭＦＰ２０の他に少なくとも１つ備えることが可能である。同様に、システム１０は、利用者端末４０と同様の構成の利用者端末を、利用者端末４０の他に少なくとも１つ備えることが可能である。
【００２０】
図２は、機器設定装置３０のブロック図である。
【００２１】
図２に示すように、機器設定装置３０は、種々の操作が入力される例えばキーボード、マウスなどの入力デバイスである操作部３１と、種々の情報を表示するＬＣＤ（Ｌｉｑｕｉｄ  Ｃｒｙｓｔａｌ  Ｄｉｓｐｌａｙ）などの表示デバイスである表示部３２と、ネットワーク経由で、または、ネットワークを介さずに有線または無線によって直接に、外部の装置と通信を行う通信デバイスである通信部３３と、各種の情報を記憶する半導体メモリー、ＨＤＤ（Ｈａｒｄ  Ｄｉｓｋ  Ｄｒｉｖｅ）などの不揮発性の記憶デバイスである記憶部３４と、機器設定装置３０全体を制御する制御部３５とを備えている。機器設定装置３０は、例えば、ＰＣ（Ｐｅｒｓｏｎａｌ  Ｃｏｍｐｕｔｅｒ）などのコンピューターである。
【００２２】
記憶部３４は、ＭＦＰに対する設定を実行するための機器設定プログラム３４ａを記憶している。機器設定プログラム３４ａは、機器設定装置３０の製造段階で機器設定装置３０にインストールされていても良いし、ＵＳＢ（Ｕｎｉｖｅｒｓａｌ  Ｓｅｒｉａｌ  Ｂｕｓ）メモリー、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）などの外部の記憶媒体から機器設定装置３０に追加でインストールされても良いし、ネットワーク上から機器設定装置３０に追加でインストールされても良い。
【００２３】
記憶部３４は、利用者を認証するための認証情報を利用者毎に示す利用者管理情報３４ｂを記憶している。ここで、認証情報は、例えば、利用者の識別情報である利用者ＩＤと、パスワードとの組み合わせであっても良いし、ＰＩＮ（Ｐｅｒｓｏｎａｌ  Ｉｄｅｎｔｉｆｉｃａｔｉｏｎ  Ｎｕｍｂｅｒ）であっても良い。
【００２４】
記憶部３４は、ＭＦＰの複数の設定項目のそれぞれの設定値が示される設定データ３４ｃを記憶可能である。設定データ３４ｃは、例えば、ＣＳＶ（Ｃｏｍｍａ-Ｓｅｐａｒａｔｅｄ  Ｖａｌｕｅｓ）ファイルである。
【００２５】
図３は、設定データ３４ｃの一例を示す図である。
【００２６】
図３に示す設定データ３４ｃは、一行目が設定項目を示し、二行目が設定値を示している。一行目のカンマで区切られた各設定項目と、二行目のカンマで区切られた各設定値とは、各行の先頭からの順番が同じもの同士が対応している。
【００２７】
例えば、図３において、一行目の先頭の設定項目「default_cassette」は、ＭＦＰの標準の給紙カセットの設定項目であるが、設定値としては、二行目の先頭の設定値「Cassette_1」が対応している。なお、この設定値「Cassette_1」は、ＭＦＰが保有する給紙カセットのうち、「Cassette_1」という識別情報によって特定されるカセットを示している。
【００２８】
また、図３において、一行目の先頭から２つ目の設定項目「sleep_timer」は、ＭＦＰがスリープモードに入るまでの待機時間の設定項目であるが、設定値としては、二行目の先頭から２つ目の設定値「1000」が対応している。なお、この設定値「1000」は、１０００秒を示している。
【００２９】
また、図３において、一行目の先頭から３つ目の設定項目「authentication_server」は、ＭＦＰにおいて利用される認証サーバーの設定項目であるが、設定値としては、二行目の先頭から３つ目の設定値「knm_ip」が対応している。なお、この設定値「knm_ip」は、実際には、認証サーバーのＩＰ（Ｉｎｔｅｒｎｅｔ  Ｐｒｏｔｏｃｏｌ）アドレスまたはホスト名が示される。
【００３０】
また、図３において、一行目の先頭から４つ目の設定項目「ssl」は、ＭＦＰによる通信の暗号化の設定項目であるが、設定値としては、二行目の先頭から４つ目の設定値「ON」が対応している。なお、この設定値「ON」は、ＭＦＰによる通信の暗号化を実行することを示している。
【００３１】
図２に示す制御部３５は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部３４に記憶されているプログラムを実行する。
【００３２】
制御部３５は、機器設定プログラム３４ａを実行することによって、ＭＦＰの複数の設定項目のそれぞれの設定値が示される設定データ３４ｃを受け付ける設定データ受付手段３５ａと、設定データ受付手段３５ａによって受け付けられた設定データ３４ｃに基づいてＭＦＰに対して複数の設定項目のそれぞれの設定値を設定する機器設定手段３５ｂとを実現する。
【００３３】
図４は、利用者端末４０のブロック図である。
【００３４】
図４に示すように、利用者端末４０は、種々の操作が入力される例えばキーボード、マウスなどの入力デバイスである操作部４１と、種々の情報を表示するＬＣＤなどの表示デバイスである表示部４２と、ネットワーク経由で、または、ネットワークを介さずに有線または無線によって直接に、外部の装置と通信を行う通信デバイスである通信部４３と、各種の情報を記憶する半導体メモリー、ＨＤＤなどの不揮発性の記憶デバイスである記憶部４４と、利用者端末４０全体を制御する制御部４５とを備えている。利用者端末４０は、例えば、スマートフォン、タブレット、ＰＣなどのコンピューターである。
【００３５】
制御部４５は、例えば、ＣＰＵと、プログラムおよび各種のデータを記憶しているＲＯＭと、ＣＰＵの作業領域として用いられるＲＡＭとを備えている。ＣＰＵは、ＲＯＭまたは記憶部４４に記憶されているプログラムを実行する。
【００３６】
次に、システム１０の動作について説明する。
【００３７】
まず、設定データを入力するためのデータ入力画面を利用者端末４０に表示する場合のシステム１０の動作について説明する。
【００３８】
図５は、データ入力画面を利用者端末４０に表示する場合のシステム１０の動作のシーケンス図である。
【００３９】
機器設定装置３０へのログインが利用者端末４０の操作部４１を介して指示されると、利用者端末４０の制御部４５は、図５に示すように、機器設定装置３０にアクセスする（Ｓ１０１）。
【００４０】
機器設定装置３０の設定データ受付手段３５ａは、利用者のログインのためのログイン画面の表示を利用者端末４０に指示する（Ｓ１０２）。
【００４１】
したがって、利用者端末４０の制御部４５は、Ｓ１０２において表示が指示されたログイン画面を表示部４２に表示する（Ｓ１０３）。ここで、管理者としての利用者は、管理者の認証情報をログイン画面に入力することができる。
【００４２】
制御部４５は、ログイン画面に管理者の認証情報が入力されると、入力された認証情報を機器設定装置３０に送信することによって、機器設定装置３０に利用者の認証を指示する（Ｓ１０４）。
【００４３】
機器設定装置３０の設定データ受付手段３５ａは、利用者の認証が利用者端末４０から指示されると、利用者端末４０から送信されてきた認証情報と、利用者管理情報３４ｂとに基づいて、利用者の認証を実行する（Ｓ１０５）。
【００４４】
設定データ受付手段３５ａは、Ｓ１０５における認証が成功した場合、この利用者が管理者であって、ＭＦＰに対する設定作業の開始が利用者端末４０を介して指示されると、設定の対象のＭＦＰの候補をネットワーク上から検知し（Ｓ１０６）、Ｓ１０６において検知した候補のリストを含むデータ入力画面の表示を利用者端末４０に指示する（Ｓ１０７）。
【００４５】
したがって、利用者端末４０の制御部４５は、Ｓ１０７において表示が指示されたデータ入力画面を表示部４２に表示する（Ｓ１０８）。
【００４６】
図６は、Ｓ１０８において表示されるデータ入力画面５０の一例を示す図である。
【００４７】
図６に示すように、データ入力画面５０は、Ｓ１０６において検知された候補のリスト５１と、設定データのパスを入力するためのファイル入力部５２と、設定の実行を指示するための実行ボタン５３とを含んでいる。
【００４８】
リスト５１は、指定された候補が白黒反転されて表示される。リスト５１は、複数の候補が指定されることが可能である。
【００４９】
リスト５１において少なくとも１つのＭＦＰが指定され、ファイル入力部５２に設定データのパスが入力された状態で、操作部４１を介して実行ボタン５３が押されると、機器設定装置３０は、図７に示す動作を実行する。
【００５０】
図７は、ＭＦＰに対する設定を実行する場合の機器設定装置３０の動作のフローチャートである。
【００５１】
図７に示すように、機器設定装置３０の設定データ受付手段３５ａは、実行ボタン５３が押された時点でリスト５１において指定されていたＭＦＰと、実行ボタン５３が押された時点でファイル入力部５２に入力されていたパスに存在する設定データとを利用者端末４０から読み込んで受け付ける（Ｓ１３１）。
【００５２】
次いで、設定データ受付手段３５ａは、Ｓ１３１において受け付けた設定データを設定データ３４ｃとして記憶部３４に記憶し（Ｓ１３２）、Ｓ１３１において受け付けたＭＦＰと、Ｓ１３２において記憶した設定データ３４ｃのパスとを機器設定手段３５ｂに通知する（Ｓ１３３）。
【００５３】
したがって、機器設定手段３５ｂは、Ｓ１３３において通知されたパスに存在する設定データ３４ｃを読み出し（Ｓ１３４）、読み出した設定データ３４ｃに基づいて、Ｓ１３１において受け付けた全てのＭＦＰに対して複数の設定項目のそれぞれの設定値を設定して（Ｓ１３５）、図７に示す動作を終了する。
【００５４】
以上に説明したように、機器設定装置３０は、ＭＦＰの複数の設定項目のそれぞれに対する設定値の設定を設定データ３４ｃに基づいて実行する（Ｓ１３５）ので、ＭＦＰに対する設定作業を容易化することができる。
【００５５】
機器設定装置３０は、設定の対象のＭＦＰの候補をネットワーク上から検知し（Ｓ１０６）、検知した候補を通知する（Ｓ１０７）ことによって、候補のうち設定の対象の指定を受け付ける（Ｓ１３１）ので、設定の対象のＭＦＰを指定するための作業効率を向上することができる。したがって、機器設定装置３０は、ＭＦＰに対する設定作業を更に容易化することができる。
【００５６】
機器設定装置３０は、ＭＦＰに対する設定作業を容易化することができるので、例えば、多数のＭＦＰが新たに導入される場合に、多数のＭＦＰに対する設定作業を容易化することができ、多数のＭＦＰの導入時の人件費などの費用を抑えることができる。
【００５７】
本発明の電子機器は、本実施の形態においてＭＦＰであるが、プリンター専用機、コピー専用機、ファックス専用機、スキャナー専用機など、ＭＦＰ以外の画像形成装置でも良いし、ＰＣなど、画像形成装置以外の電子機器でも良い。
【符号の説明】
【００５８】
２０  ＭＦＰ（電子機器）
３０  機器設定装置
３４ａ  機器設定プログラム
３４ｃ  設定データ
３５ａ  設定データ受付手段
３５ｂ  機器設定手段
【図１】
2018200604.tif 000003
【図２】
2018200604.tif 000004
【図３】
2018200604.tif 000005
【図４】
2018200604.tif 000006
【図５】
2018200604.tif 000007
【図６】
2018200604.tif 000008
【図７】
2018200604.tif 000009